(57)【要約】【課題】  電力供給を必要としない簡易な構成で除電部を像担持体に接近する方向と像担持体から離反する方向とに移動させられるようにし、点検時やジャム処理時などに作業者の手指を除電針に接触させないようにする。【解決手段】  転写材除電機構は、主に、機能部１０１と、カバー部材１０２と、除電部１０３とを備えている。機能部１０１は、感光体ドラム３０に近づいた状態の近接位置と感光体ドラム３０から離れた状態の離反位置とを取りうるようにフレーム１１０に開閉自在に装着されている。カバー部材１２０は、機能部１０１を外方から覆うようにフレーム１１０に開閉自在に装着されている。除電部１０３は、機能部１０１に装着されており、カバー部材１０２の開閉に連動して、機能部１０１において感光体ドラム３０に接近する方向と感光体ドラム３０から離反する方向とに進退自在に移動するようになっている。【選択図】      図３
2005241950.tif 000002
【特許請求の範囲】
【請求項１】
画像形成装置本体のフレームに支持され、転写手段によって像担持体のトナー像が転写された転写材の除電を行うための画像形成装置の転写材除電機構であって、
前記像担持体に近づいた状態の近接位置と前記像担持体から離れた状態の離反位置とを取りうるように前記フレームに開閉自在に装着される第１開閉部材と、
前記第１開閉部材を外方から覆うように前記フレームに開閉自在に装着される第２開閉部材と、
前記転写材の除電を行うために前記第１開閉部材に設けられ、前記第２開閉部材の開閉に連動して前記第１開閉部材において前記像担持体から離反する方向と前記像担持体に接近する方向とに進退自在に移動する除電部と、
を備える画像形成装置の転写材除電機構。
【請求項２】
前記第１開閉部材は、前記第２開閉部材の開閉に連動して前記近接位置と前記離反位置との間で開閉可能になっている、
請求項１に記載の画像形成装置の転写材除電機構。
【請求項３】
前記第１開閉部材と前記除電部との間には、前記除電部を前記第２開閉部材側に付勢する付勢部材が配置されており、
前記第２開閉部材は、前記第１開閉部材側に向けて突出した突出部を有しており、
前記第１開閉部材が前記近接位置に位置しているときには、前記第２開閉部材の前記突出部が前記除電部に当接して前記除電部を前記像担持体に接近させ、
前記第１開閉部材が前記離反位置に位置しているときには、前記第２開閉部材の前記突出部が前記除電部から離反して、前記除電部が前記付勢部材の付勢力により前記像担持体から離反させられる、
請求項１又は２に記載の画像形成装置の転写材除電機構。
【請求項４】
前記第１開閉部材は、前記除電部と前記像担持体との間において前記除電部の移動に連動して開閉可能な蓋部材を有しており、
前記蓋部材は、前記除電部が前記像担持体に接近するときに開放され、前記除電部が前記像担持体から離反するときに閉じられる、
請求項１から３のいずれかに記載の画像形成装置の転写材除電機構。
【請求項５】
前記除電部は、前記像担持体から離反する方向と前記像担持体に接近する方向とに移動可能に前記第１開閉部材に装着される移動部材と、前記移動部材に装着され前記移動部材が前記像担持体に接近したときに前記転写材の除電を行う除電針とを有している、
請求項１から４のいずれかに記載の画像形成装置の転写材除電機構。
【請求項６】
前記第１開閉部材には、前記第１開閉部材と前記除電部との間に配置され前記除電針を清掃するための清掃部材が装着されている、
請求項５に記載の画像形成装置の転写材除電機構。
【請求項７】
前記第１開閉部材は、画像形成装置本体に設けられた像担持体に対向するように配置され、前記転写材を前記像担持体に搬送する搬送ローラと、前記像担持体のトナー像を前記転写材に転写するための転写手段と、前記除電部と前記搬送ローラと前記転写手段とを収容可能なハウジングとを有し、
前記除電部は、前記近接位置において前記像担持体の近傍で前記ハウジングに進退自在に装着される、
請求項１から６のいずれかに記載の画像形成装置の転写材除電機構。
【発明の詳細な説明】
【技術分野】
【０００１】
本発明は、転写材除電機構、特に、画像形成装置本体のフレームに支持され、転写材の除電を行うための画像形成装置の転写材除電機構に関する。
【背景技術】
【０００２】
画像形成装置は、主に、画像読み取り装置と印刷装置とを備えている。画像読み取り装置は原稿の画像情報を読み取るためのものであり、印刷装置は画像読み取り装置で読み取った画像情報に応じて紙等の転写材上に画像を形成するためのものである。印刷装置は、画像形成部と転写材を搬送する転写材搬送部とを有している。画像形成部は、主に、感光体ドラムと、帯電器と、露光器と、現像装置と、転写ローラと、転写材除電機構とからなっている。このような画像形成部では、まず、帯電器が感光体ドラムの表面を帯電させる。そして、露光器が、画像読み取り装置により読み取られた画像情報に応じて、帯電器により帯電させられた感光体ドラムの表面に露光を施している。これにより、感光体ドラムの表面には静電潜像が形成される。次に、現像装置において、現像ローラがトナーを感光体ドラムの表面の静電潜像に付着させる。最後に、感光体ドラムの表面に形成されたトナ−画像が、転写材搬送部により搬送されてきた用紙に転写される。ここでは、トナー画像と逆極性の転写バイアスが印加された転写ローラによって、トナー画像が感光体ドラム側から用紙側へ引きつけられて、トナー画像は用紙上に転写される。このようにトナー画像が転写された用紙は帯電状態になっており、転写材除電機構によって用紙に残存する電荷が除去される。
【０００３】
転写材除電機構は、主に、除電部と移動装置とからなっている。除電部は、除電針と除電針ホルダとからなっている。この除電部は、感光体ドラム（像担持体）の近傍に配置されている。除電部の除電針は、移動装置により感光体ドラムに接近する方向と感光体ドラムから離反する方向とに進退自在に移動可能になっている。これにより、除電部の除電針が感光体ドラムに接近する方向に移動したときに、感光体ドラムのトナー像が転写された転写材の除電を行うことができる。移動装置は、パルスモータ等の正逆転モータと、正逆転モータの軸部に設けたピニオンギヤと、除電部に設けられピニオンギアに噛合する駆動受部等とからなっている。この移動装置は、正逆転モータに組み込まれたモータ制御回路により制御され、除電部の除電針を移動させる（特許文献１）。具体的には、カバー部材を開いた場合、除電針は移動装置により転写材から離反する方向に移動させられる。一方で、カバー部材を閉じた場合、除電針は移動装置により転写材に接近する方向に移動させられる。ここで、除電針が感光体ドラムから離反する方向に移動可能にしている理由は、たとえば、作業者が点検時やジャム処理時などに画像形成装置本体のカバー部材を開いて画像形成装置本体内に手を入れたときに、作業者の手指を除電針に接触させないようにするためである。
【特許文献１】特開平７−１０４５８５号公報
【発明の開示】
【発明が解決しようとする課題】
【０００４】
従来の転写材除電機構では、除電部の除電針が移動装置により像担持体に接近する方向と像担持体から離反する方向とに進退自在に移動可能になっている。このとき、移動装置は、モータ制御回路により制御されて、除電針を移動させる。つまり、除電針を像担持体に接近する方向と像担持体から離反する方向とに移動させるために、移動装置が画像形成装置本体に設置されている。移動装置は、正逆転モータ、ピニオンギヤ、および駆動受部といった各部が互いに連動して動作することで機能するようになっている。このような転写材除電機構には、移動装置のモータを駆動するための電力を供給する必要がある。このとき、画像形成装置の本体電源からモータに電力を供給するようにすると、ユーザがジャム処理等で安全のために本体電源をオフしてカバーを開けたときに、除電部の除電針を移動装置により像担持体から離反する方向に移動させられないという問題がある。この問題を解決するために、本体電源とは別にモータ駆動用電源を用意することが考えられる。この場合は、ジャム処理等で本体電源がオフされても、モータにモータ駆動用電源から電力を供給することができ、モータを駆動することができる。しかしながら、ユーザがカバーを開けたときに、モータの駆動音が聞こえるとユーザは不安に感じるおそれがある。
【０００５】
一方で、除電針は、転写材に残存する電荷を除去するために転写材に接近させる必要がある。このとき、除電針には、転写材の紙粉やトナー等の不純物が付着してしまうおそれがある。
【０００６】
本発明の課題は、電力供給を必要としない簡易な構成で除電部を像担持体に接近する方向と像担持体から離反する方向とに移動させられるようにするとともに、点検時やジャム処理時などに作業者の手指を除電針に接触させないようにすることにある。
【０００７】
本発明の別の課題は、除電針に不純物が付着するようなことがあっても、除電針から不純物を除去することができるようにすることにある。
【課題を解決するための手段】
【０００８】
請求項１に係る画像形成装置の転写材除電機構は、画像形成装置本体のフレームに支持され、転写手段によって像担持体のトナー像が転写された転写材の除電を行うためのものである。この転写材除電機構は、第１開閉部材と、第２開閉部材と、除電部とを備えている。第１開閉部材は、像担持体に近づいた状態の近接位置と像担持体から離れた状態の離反位置とを取りうるようにフレームに開閉自在に装着されている。第２開閉部材は、第１開閉部材を外方から覆うようにフレームに開閉自在に装着されている。除電部は、転写材の除電を行うために第１開閉部材に設けられている。この除電部は、第２開閉部材の開閉に連動して、第１開閉部材において像担持体から離反する方向と像担持体に接近する方向とに進退自在に移動するようになっている。
【０００９】
この転写材除電機構では、第２開閉部材を開くことにより、第２開閉部材の開放操作に連動して除電部が第１開閉部材において像担持体から離反する方向に移動する。この状態で第１開閉部材が離反位置にセットされると、点検やジャム処理等の作業を行うことができる状態になる。また、第２開閉部材を閉じることにより、第２開閉部材の閉塞操作に連動して除電部が第１開閉部材において像担持体に接近する方向に移動する。この状態で第１開閉部材が近接位置にセットされると、除電部は転写材に残存する電荷を除去できる状態になる。
【００１０】
ここでは、除電部が、第２開閉部材の開閉に連動して、第１開閉部材において像担持体に接近する方向と像担持体から離反する方向とに進退自在に移動するようになっている。この場合、電力供給を必要とする複雑な移動装置を転写材除電機構に用意しなくても、除電部を像担持体に接近する方向と像担持体から離反する方向とに移動させることができる。すなわち、電力供給を必要としない簡易な構成で、除電部を像担持体に接近する方向と像担持体から離反する方向とに移動させることができる。また、第２開閉部材を開くことにより除電部を第１開閉部材において像担持体から離反する方向に移動させることができるので、点検時やジャム処理時などに作業者の手指を除電部に接触させないようにすることができる。
【００１１】
請求項２に係る画像形成装置の転写材除電機構では、請求項１に記載の画像形成装置の転写材除電機構において、第１開閉部材が、第２開閉部材の開閉に連動して近接位置と離反位置との間で開閉可能になっている。この場合、第１開閉部材が、第２開閉部材の開閉に連動して近接位置と離反位置との間で開閉可能になっているので、第２開閉部材を開閉すると同時に第１開閉部材を近接位置と離反位置とに配置することができる。これにより、第２開閉部材を開閉するだけで、除電部を像担持体に接近する方向と像担持体から離反する方向とに容易に移動させることができる。
【００１２】
請求項３に係る画像形成装置の転写材除電機構では、請求項１又は２に記載の画像形成装置の転写材除電機構において、第１開閉部材と除電部との間に、除電部を第２開閉部材側に付勢する付勢部材が配置されている。第２開閉部材は、第１開閉部材側に向けて突出した突出部を有している。第１開閉部材が近接位置に位置しているときには、第２開閉部材の突出部が除電部に当接して除電部を像担持体に接近させる。第１開閉部材が離反位置に位置しているときには、第２開閉部材の突出部が除電部から離反して、除電部が付勢部材の付勢力により像担持体から離反させられる。この場合、第１開閉部材が近接位置に位置しているときには、第２開閉部材の突出部が除電部に当接して除電部を像担持体に接近させる。また、第１開閉部材が離反位置に位置しているときには、第２開閉部材の突出部が除電部から離反して、除電部が付勢部材の付勢力により像担持体から離反させられる。これにより、電力供給を必要としない簡易な構成で、除電部を像担持体に接近する方向と像担持体から離反する方向とに移動させることができる。また、機能部の離反位置において除電部が機能部に収納されるようにしたことで、点検時やジャム処理時などに作業者の手指を除電部に接触させないようにすることができる。
【００１３】
請求項４に係る画像形成装置の転写材除電機構では、請求項１から３のいずれかに記載の画像形成装置の転写材除電機構において、第１開閉部材が、除電部と像担持体との間において除電部の移動に連動して開閉可能な蓋部材を有している。この蓋部材は、除電部が像担持体に接近するときに開放され、除電部が像担持体から離反するときに閉じられるようになっている。この場合、第１開閉部材の蓋部材は、除電部が像担持体に接近するときに開放されるようになっているので、除電部は、蓋部材に干渉することなく、転写材の除電を行うことができる。また、第１開閉部材の蓋部材は、除電部が像担持体から離反するときに閉じられるようになっているので、点検時やジャム処理時などに作業者の手指を除電部に接触させないようにすることができる。
【００１４】
請求項５に係る画像形成装置の転写材除電機構では、請求項１から４のいずれかに記載の画像形成装置の転写材除電機構において、除電部が移動部材と除電針とを有している、移動部材は、像担持体から離反する方向と像担持体に接近する方向とに移動可能に第１開閉部材に装着されている。除電針は、移動部材に装着されており、移動部材が像担持体に接近したときに転写材の除電を行えるようになっている。この場合、除電部つまり移動部材および除電針を、第２開閉部材の開閉に連動して、第１開閉部材において像担持体に接近する方向と像担持体から離反する方向とに進退自在に移動することができる。このように除電部を移動部材と除電針とから構成しても、除電部を像担持体に接近する方向と像担持体から離反する方向とに移動させることができる。そして、点検時やジャム処理時などに作業者の手指を除電針に接触させないようにすることができる。
【００１５】
請求項６に係る画像形成装置の転写材除電機構では、請求項５に記載の画像形成装置の転写材除電機構において、第１開閉部材に清掃部材が装着されている。この清掃部材は、除電針を清掃するためのものであり、第１開閉部材と除電部との間に配置されている。この場合、第１開閉部材に装着された清掃部材が、除電針を清掃することができるようになっている。これにより、除電針に不純物が付着するようなことがあっても、除電針から不純物を除去することができる。
【００１６】
請求項７に係る画像形成装置の転写材除電機構では、請求項１から６のいずれかに記載の画像形成装置の転写材除電機構において、第１開閉部材が、画像形成装置本体に設けられた像担持体に対向するように配置されている。この第１開閉部材は、転写材を像担持体に搬送する搬送ローラと、像担持体のトナー像を転写材に転写するための転写手段と、除電部と搬送ローラと転写手段とを収容可能なハウジングとを有している。除電部は、近接位置において像担持体の近傍でハウジングに進退自在に装着されている。この転写材除電機構においては、転写材が搬送ローラによって像担持体に搬送され、転写手段によって像担持体のトナー像が転写材に転写される。そして、転写材は像担持体を通過した後に除電部によって除電される。このように転写材除電機構を構成して転写材を除電部によって除電するようにしても、請求項１から６と同様の効果を得ることができる。
【発明の効果】
【００１７】
本発明によれば、除電部が、第２開閉部材の開閉に連動して、第１開閉部材において像担持体に接近する方向と像担持体から離反する方向とに進退自在に移動するようになっている。この場合、電力供給を必要とする複雑な移動装置を転写材除電機構に用意しなくても、除電部を像担持体に接近する方向と像担持体から離反する方向とに移動させることができる。すなわち、電力供給を必要としない簡易な構成で、除電部を像担持体に接近する方向と像担持体から離反する方向とに移動させることができる。また、第２開閉部材を開くことにより除電部を第１開閉部材において像担持体から離反する方向に移動させることができるので、点検時やジャム処理時などに作業者の手指を除電部に接触させないようにすることができる。さらに、第１開閉部材に装着された清掃部材が、除電針を清掃することができるようになっている。これにより、除電針に不純物が付着するようなことがあっても、除電針から不純物を除去することができる。
【発明を実施するための最良の形態】
【００１８】
〔複写機の全体概要〕
図１に本発明の一実施形態が採用される複写機の縦断面図を示す。この複写機１は、フレーム１１０を含む複写機本体１０と、複写機本体１０の上部に開閉自在に装着された原稿押さえ１１とを有している。複写機本体１０には、その上部に位置して、原稿が載置される原稿台１５が配置されている。複写機本体１０の内部には、正面から見て左側の端部で上下方向のほぼ中央に画像形成部１６が設けられている。また、複写機本体１０の内部には、下部に画像形成部１６に原稿を供給するための給紙部１７が設けられている。複写機本体１０の外周には、フレーム１１０の外側を覆うように外装部１１１が設けられている。
【００１９】
給紙部１７は、複写機本体１０のフレーム１１０に着脱自在に取り付けられ、用紙を収納する給紙カセット１８，１９と、その上方に設けられるスタックバイパス２０とを備えている。原稿台１５の下方には、原稿台１５上に載置された原稿の画像情報を読み取るための画像読み取り部２１が設けられている。画像読み取り部２１は、原稿台１５上に載置された原稿表面に光を照射するための光源２２と、原稿表面から反射した光を偏向するためのミラー２３，２４，２５と、ミラー２５からの光を収束させるためのレンズ２６と、レンズ２６によって収束された光を受光して原稿画像に対応する画像データ信号を生成するＣＣＤセンサなどの撮像素子２７とを備えている。
【００２０】
画像形成部１６は、表面に静電潜像が形成される像担持体としての感光体ドラム３０を有し、さらに感光体ドラム３０の周囲に配置された主帯電装置３１、現像装置３２、転写手段としての転写ローラ３３およびクリーニング装置３４を有している。主帯電装置３１は、感光体ドラム３０の表面を帯電させるための装置であり、感光体ドラム３０の右斜め上方に配置されている。主帯電装置３１から所定の間隙をあけて感光体ドラム３０の右斜め下方に感光体ドラム３０上にトナー像を形成する現像装置３２が配置されている。現像装置３２は、内部にトナーを収納し、感光体ドラム３０に形成されている静電潜像をトナーによって顕像化するものである。また、転写ローラ３３は、感光体ドラム３０上のトナー像を用紙に転写するためのものであり、感光体ドラム３０の左側方に配置されている。クリーニング装置３４は、感光体ドラム３０表面の残留トナーなどを除去するための装置であり、感光体ドラム３０の上方に配置されている。
【００２１】
感光体ドラム３０の右側方には、感光体ドラム３０の周面に静電潜像を形成するためのレーザユニット３５が設けられている。レーザユニット３５は、撮像素子２７から得られる画像データ信号に基づいて感光体ドラム３０周面に静電潜像を形成する。給紙部１７には、各給紙カセット１８，１９から画像形成部１６方向に用紙を搬送するための縦搬送路４１と、スタックバイパス２０から画像形成部１６方向に用紙を搬送するバイパス搬送路４２とが設けられている。各給紙カセット１８，１９およびスタックバイパス２０には、収納されている用紙を取り出すためのピックアップローラ４３，４４，４５および用紙を１枚ずつ搬送路に送り出すための給紙ローラ対４６，４７，４８が設けられている。縦搬送路４１には、搬送ローラ対４９，５０が設けられており、バイパス搬送路４２には搬送ローラ対５１が設けられている。縦搬送路４１とバイパス搬送路４２は、感光体ドラム３０と転写ローラ３３とが対向する転写位置の下方で合流している。この合流した個所には、搬送されてくる用紙を所定位置に待機させるためのレジストローラ対５２が設けられている。
【００２２】
感光体ドラム３０および転写ローラ３３の上方には、用紙上に転写されたトナーを溶融定着するための定着装置５３が設けられている。定着装置５３は、ヒータを内蔵する加熱ローラ５４と加熱ローラ５４に圧接する加圧ローラ５５とが設けられており、両ローラ間に用紙を挟持して搬送するとともに、用紙表面に形成されたトナー画像を加熱定着するものである。
【００２３】
定着装置５３のさらに上方には、分岐部５６が設けられている。分岐部５６の右側方には、排出ローラ対６０を介して用紙が排出される排出トレイ５７と、排出トレイ５７の上方に配置され排出ローラ対６１を介して用紙が排出されるサブ排出トレイ５８とが配置されている。また、分岐部５６の左下方には両面コピーの際に用紙を反転させるためのスイッチバック部５９が配置されている。分岐部５６には、用紙搬送方向を排出トレイ５７方向とスイッチバック部５９方向とに切り換えるための分岐爪６２が設けられている。分岐爪６２の左側方には、２つの分岐爪６３、６４が設けられている。この２つの分岐爪６３，６４の下方にはスイッチバック部５９に用紙を案内するスイッチバック搬送路６５が設けられ、上方にはサブ排出トレイ５８へ用紙を案内するサブトレイ搬送路６６が設けられている。分岐爪６３，６４は、搬送されてくる用紙をスイッチバック搬送路６５、サブトレイ搬送路６６またはフィニッシャ搬送路６７のいずれかに案内するように切り換え可能となっている。
【００２４】
外装部１１１は、複写機本体１０のフレーム１１０に取り付けられている。外装部１１１は、ジャム処理などで複写機本体内を点検するときに開放されるカバー部材１０２を有している（図３参照）。このカバー部材１０２は、複写機本体１０のフレーム１１０に開閉自在に設けられている。ここでは、カバー部材が左側面の外装部１１１に設けられている。
〔複写機の転写材除電機構の構成〕
転写材除電機構１００は、転写ローラ３３によって感光体ドラム３０のトナー像が転写された転写材の除電を行うための機構であり、複写機本体１０のフレーム１１０に支持されている。転写材除電機構１００は、図２および図３に示すように、機能部（第１開閉部材の一例）１０１と、カバー部材（第２開閉部材の一例）１０２と、除電部１０３と、コイルばね１０４（付勢部材の一例）とを備えている。
【００２５】
機能部１０１は、感光体ドラム３０に対向するように複写機本体１０に配置されている。この機能部１０１は、複写機本体１０の内部にセットされた状態（図２参照）と複写機本体１０の外方に開放された状態（図３参照）とを取りうるようにフレーム１０に開閉自在に装着されている。具体的には、機能部１０１は、感光体ドラム３０に近づいた状態の近接位置と感光体ドラム３０から離れた状態の離反位置とを取りうるようにフレーム１１０に開閉自在に装着されている。ここでは、機能部１０１は、フレーム１１０に設けられた支持軸２０２を中心に回動自在にフレーム１１０に支持されている。
【００２６】
機能部１０１は、図２から図５に示すように、ローラ部１０５と、除電部１０３およびローラ部１０５を収容可能なハウジング１０６とを有している。ハウジング１０６には、除電部１０３を収納するための除電部装着部１０６ａが形成されている。この除電部装着部１０６ａは、たとえば機能部１０１が近接位置に位置するときに略水平になるようなスリット状に形成されており、感光体ドラム３０側に開口している。この開口を後述する除電針２０４が進退自在に出入り可能になっている。また、ハウジング１０６には、後述する付勢手段としてのコイルばね１０４を装着するための第１コイルばね装着部１０６ｂが形成されている。ローラ部１０５は、搬送ローラ対５０のうち図左側に配置される搬送ローラ５０Ｂ、レジストローラ対５２のうち図左側に配置されるレジストローラ５２Ｂおよび転写ローラ３３などからなっている。これら搬送ローラ５０Ｂ、レジストローラ５２Ｂおよび転写ローラ３３は、ハウジング１０６に回転自在に軸支されている。機能部１０１の図右側面は縦搬送路４１を構成している（図１参照）。機能部１０１が感光体ドラム３０に近づいた状態の近接位置にセットされたとき、機能部１０１は、搬送ローラ５０Ｂを搬送ローラ５０Ａに圧接し、レジストローラ５２Ｂをレジストローラ５２Ａに圧接し、転写ローラ３３を感光体ドラム３０に圧接する。一方で、機能部１０１を矢印Ａ方向に回動させて（図２参照）、機能部１０１が感光体ドラム３０から離れた状態の離反位置にセットされたとき（図３参照）、機能部１０１は、搬送ローラ５０Ｂ、レジストローラ５２Ｂおよび転写ローラ３３をそれぞれ搬送ローラ５０Ａ、レジストローラ５２Ａおよび感光体ドラム３０から離間する。このとき、縦搬送路４１は外方に露出した状態になる。
【００２７】
また、機能部１０１は、図４から図７に示すように、後述する除電部１０３の進退移動に連動して開閉可能な蓋部材１０７を有している。蓋部材１０７は、点検時やジャム処理時等に作業者の手指が除電部１０３の除電針２０４に接触しないようにするために、除電部１０３と感光体ドラム３０との間においてハウジング１０６に開閉自在に装着されている。この蓋部材１０７は、除電部１０３が除電部装着部１０６ａにおいて感光体ドラム３０側に移動するときに開放され、除電部１０３が除電部装着部１０６ａにおいて感光体ドラム３０から離反する側に移動するときに閉じられる。蓋部材１０７は、感光体ドラム３０の軸方向に長い矩形状に形成されている。蓋部材１０７の両端部には軸部１０７ａが設けられており、蓋部材１０７は軸部１０７ａにおいてハウジング１０６に軸支されている。蓋部材１０７の両端部に設けられた軸部１０７ａの外周には、捩りコイルばね１０８が配置されている。捩りコイルばね１０８は、一端がハウジング１０６に係止されており、他端が蓋部材１０７の端部に係止されている。この捩りコイルばね１０８によって、蓋部材１０７は、軸部１０７ａまわりに感光体ドラム３０から離反する方向（除電部１０３の位置する方向）に付勢されている。さらに、機能部１０１は、後述する除電部１０３の除電針２０４を清掃するための清掃部材１０９を有している。清掃部材１０９は、除電部１０３とハウジング１０６との間に配置されている。清掃部材１０９は、除電針２０４の上部において除電針２０４に接触するようにハウジング１０６に装着されている。この清掃部材１０９は、除電部１０３が進退移動するときに、除電針２０４を清掃する。
【００２８】
カバー部材１０２は、図２および図３に示すように、機能部１０１を外方から覆うようにフレーム１１０に開閉自在に装着されている。カバー部材１０２は、支持軸２０２を中心に回動自在にフレーム１１０に支持されている。このカバー部材１０２の開閉に連動して、機能部１０１が近接位置と離反位置との間で開閉可能になっている。ここではカバー部材１０２と機能部１０１との間にストラップ１１２が架け渡されており、カバー部材１０２を複写機本体１０の外方に開放したときに、ストラップ１１２によって機能部１０１が複写機本体１０の外方に引き出され離反位置にセットされる。また、カバー部材１０２を複写機本体１０側に閉じたときに、機能部１０１はカバー部材１０２によって複写機本体１０側に押し込まれて近接位置にセットされる。カバー部材１０２は機能部１０１側に向けて突出した突出部１０２ａを有しており、この突出部１０２ａは、カバー部材１０２を閉じたときに先端部が除電部１０３に当接し、カバー部材１０２を開放したときに先端部が除電部１０３から離間するようになっている。
【００２９】
除電部１０３は、転写材の除電を行うために機能部１０１に設けられている。具体的には、除電部１０３は、搬送ローラにより感光体ドラム３０に搬送され転写ローラ３３によって感光体ドラム３０のトナー画像が転写された転写材に残存する電荷を除去するために設けられている。除電部１０３は、図４および図５に示すように、機能部１０１のハウジング１０６に装着されている。この除電部１０３は、機能部１０１のハウジング１０１において、カバー部材１０２の開閉に連動して感光体ドラム３０から離反する方向と感光体ドラム３０に接近する方向とに進退自在に移動可能になっている。具体的には、除電部１０３は、機能部１０１が近接位置にセットされたときに転写材の除電を行うことができるように、ハウジング１０６に形成された除電部装着部１０６ａに装着されている。この除電部１０３は、除電部装着部１０６ａにおいて、カバー部材１０２の開閉に連動して感光体ドラム３０から離反する方向と感光体ドラム３０に接近する方向とに進退自在に移動可能になっている。
【００３０】
除電部１０３は、図４および図５に示すように、移動部材２０３と除電針２０４とを有している。移動部材２０３は、感光体ドラム３０から離反する方向と感光体ドラム３０に接近する方向とに移動可能に除電部装着部１０６ａに装着されている。移動部材２０３は、図６に示すように、蓋部材１０７を押圧して感光体ドラム３０側に開放するための押圧部２０３ａを有している。この押圧部２０３ａは、移動部材２０３の感光体ドラム３０側両端部に形成されている。除電針２０４は、転写材の除電を行うためのものである。この除電針２０４は、移動部材２０３に装着されており、移動部材２０３が感光体ドラム３０に接近したときに転写材の除電を行う。具体的には、除電針２０４は、移動部材２０３の上部に装着されており、移動部材２０３とともに感光体ドラム３０に接近して転写材の除電を行う。除電針２０４は、図８に示すように、導電性材料からなる板状部２０４ａと、複数の突起状電極２０４ｂとを有している。複数の突起状電極２０４ｂは、板状部２０４ａの感光体ドラム３０側において、板状部２０４ａの幅方向に所定の間隔を隔てて配置されている。これら複数の突起状電極２０４ｂには所定の電圧が印加される。複数の突起状電極２０４ｂが配置された側とは反対側の板状部２０４ａには、コイルばね１０４を装着するための第２コイルばね装着部２０４ｃが、所定の間隔を隔てて形成されている。
【００３１】
コイルばね１０４は、除電部１０３をカバー部材１０２側に付勢するためのものである。コイルばね１０４は、機能部１０１と除電部１０３との間に配置される。具体的には、コイルばね１０４は、図３から図５に示すように、ハウジング１０６と除電部１０３のカバー部材１０２側との間に配置される。コイルばね１０４の一端は除電針２０４の第２コイルばね装着部２０４ｃに装着されており（図８参照）、コイルばね１０４の他端は機能部１０１のハウジング１０６の第１コイルばね装着部１０６ｂに装着されている。このようにコイルばね１０４を装着することにより、カバー部材１０２を開放してカバー部材１０２の突出部１０２ａが除電部１０３から離反したときに、除電部１０３がコイルばね１０４の付勢力により感光体ドラム３０から離反させられる。
〔複写機の転写材除電機構の動作〕
カバー部材１０２が閉じられた状態では、機能部１０１は近接位置にセットされている。この状態では、カバー部材１０２の突出部１０２ａの先端部が、除電部１０３の移動部材２０３に当接しており、除電部１０３を感光体ドラム３０側に位置決めしている。このとき、除電部１０３は、コイルばね１０４によりカバー部材１０２側に付勢された状態にある。また、蓋部材１０７は、移動部材２０３の押圧部２０３ａによって感光体ドラム３０側に押圧され略水平の状態に開放されている。このような状態からカバー部材１０２が開放されると、カバー部材１０２と機能部１０１との間に架け渡されたストラップ１１２により、機能部１０１が複写機本体１０の外方に引き出され離反位置にセットされる。このように機能部１０１が複写機本体１０の外方に引き出されるとき、カバー部材１０２の突出部１０２ａが移動部材２０３に当接した状態で、除電部１０３がコイルばね１０４の付勢力によって除電部装着部１０６ａにおいてカバー部材１０２側に移動しはじめる。このとき、除電部１０３の除電針２０４が、除電針２０４の上部に配置された清掃部材１０９によって清掃される。そして、カバー部材１０２の突出部１０２ａが除電部１０３から離間すると、除電部１０３の除電針２０４がコイルばね１０４の付勢力により除電部装着部１０６ａに収納される。なお、機能部１０１が複写機本体１０の外方に引き出されるとき、蓋部材１０７は、移動部材２０３の押圧部２０３ａに当接した状態で、感光体ドラム３０から離反する方向（除電部１０３の位置する方向）に略垂直状態になるまで、捩りコイルばね１０８の付勢力によって軸部１０７ａまわりに回動させられる。このようにして、蓋部材１０７は除電部装着部１０６ａの開口を閉塞する。
【００３２】
カバー部材１０２が開放された状態では、機能部１０１は離反位置にセットされている。この状態では、カバー部材１０２の突出部１０２ａの先端部が、除電部１０３の移動部材２０３から離間しており、除電部１０３の除電針２０４は除電部装着部１０６ａに収納されている。このとき、蓋部材１０７は除電部装着部１０６ａの開口を閉塞している。このような状態からカバー部材１０２が閉じられると、機能部１０１はカバー部材１０２によって複写機本体１０側に押し込まれて近接位置にセットされる。このように機能部１０１が複写機本体１０に押し込まれるとき、カバー部材１０２の突出部１０２ａが移動部材２０３に当接して移動部材２０３を押圧して、除電部１０３が除電部装着部１０６ａにおいて感光体ドラム３０側に移動しはじめる。このとき、除電部１０３の除電針２０４が、除電針２０４の上部に配置された清掃部材１０９によって清掃される。そして、機能部１０１が近接位置にセットされると、除電部１０３の除電針２０４が転写材の除電を行うことができる状態に位置決めされる。なお、機能部１０１が複写機本体１０に押し込まれるとき、蓋部材１０７は、移動部材２０３の押圧部２０３ａに押圧され、感光体ドラム３０側に略水平状態になるまで軸部１０７ａまわりに回動する。このようにして、蓋部材１０７は除電部装着部１０６ａの開口を開放する。
【００３３】
以上のように転写材除電機構１００を構成し動作させることにより、除電部１０３を、カバー部材１０２の開閉に連動して、機能部１０１において感光体ドラム３０に接近する方向と感光体ドラム３０から離反する方向とに移動させることができる。つまり、電力供給を必要とする複雑な装置を転写材除電機構１００に用意しなくても、除電部１０３を感光体ドラム３０に接近する方向と感光体ドラム３０から離反する方向とに移動させることができる。すなわち、電力供給を必要としない簡易な構成で、除電部１０３を感光体ドラム３０に接近する方向と感光体ドラム３０から離反する方向とに移動させることができる。また、カバー部材１０２を開くことにより除電部１０３を機能部１０１において感光体ドラム３０から離反する方向に移動させることができるので、点検時やジャム処理時などに作業者の手指を除電部１０３に接触させないようにすることができる。さらに、機能部１０１に装着された清掃部材１０９が、除電部１０３の進退移動に応じて、除電部１０３の除電針２０４を清掃することができるようになっているので、除電針２０４に不純物が付着するようなことがあっても、除電針２０４から不純物を除去することができる。
【００３４】
〔他の実施形態〕
（ａ）前記実施形態では、本発明が複写機に対して適用される場合の例を示したが、本発明は、複写機だけでなく、プリンタやファクシミリ等の画像形成装置に対しても適用することができる。
【図面の簡単な説明】
【００３５】
【図１】本発明の一実施形態にかかる複写機の縦断面概略図。
【図２】転写材除電機構の説明用断面図（機能部が近接位置にある場合）。
【図３】転写材除電機構の説明用断面図（機能部が離反位置にある場合）。
【図４】転写材除電機構の除電部の説明用断面図（機能部が近接位置にある場合）。
【図５】転写材除電機構の除電部の説明用断面図（機能部が離反位置にある場合）。
【図６】転写材除電機構の蓋部材の説明用斜視図（機能部が近接位置にある場合）。
【図７】転写材除電機構の蓋部材の説明用斜視図（機能部が離反位置にある場合）。
【図８】転写材除電機構の除電針の説明用斜視図。
【符号の説明】
【００３６】
１０      複写機本体
３０      感光体ドラム（像担持体）
３３      転写ローラ
５０      搬送ローラ対
５２      レジストローラ対
１１０    フレーム
１００    転写材除電機構
１０１    機能部（第１開閉部材）
１０２    カバー部材（第２開閉部材）
１０３    除電部
１０４    コイルばね（付勢部材）
１０２ａ  突出部
１０６    ハウジング
１０７    蓋部材
１０８    捩りコイルばね
１０９    清掃部材
１１２    ストラップ
２０３    移動部材
２０３ａ  押圧部
２０４    除電針
２０４ａ  板状部
２０４ｂ  突起状電極
【図１】
2005241950.tif 000003
【図２】
2005241950.tif 000004
【図３】
2005241950.tif 000005
【図４】
2005241950.tif 000006
【図５】
2005241950.tif 000007
【図６】
2005241950.tif 000008
【図７】
2005241950.tif 000009
【図８】
2005241950.tif 000010